(57)【要約】      （修正有）【課題】蓄光材の発光前の色彩と造化の花弁色の整合性を図ることにより、違和感を生じなく、装飾性に富んだ蓄光体を利用した造花を提供する。【解決手段】軟質プラスチックスシートからなる花弁１０群を備えた造花Ｆにおいて、文字、図形、記号などによる表示部が花弁１０に形成され、発光前の色彩が該花弁１０の色彩と同色である蓄光体１２が該表示部に設けられてなるもの。【選択図】図１
0003129613.tif 000002
【実用新案登録請求の範囲】
【請求項１】
軟質プラスチックスシートからなる花弁１０群を備えた造花Ｆにおいて、
文字、図形、記号などによる表示部が花弁１０に形成され、
発光前の色彩が該花弁１０の色彩と同色である蓄光体１２が該表示部に設けられてなる
ことを特徴とする蓄光体を利用した造花。
【請求項２】
多数の該花弁１０群が設けられ、これらの該花弁１０群のうち、９弁の花弁１０の該表示
部の図形が馬であることを特徴とする請求項１記載の蓄光体を利用した造花。
【請求項３】
軟質プラスチックスシートからなる花弁２０群を備えた造花Ｆにおいて、
該花弁２０の数が少なくとも２弁からなり、
文字、図形、記号などによる表示部が各花弁２０にそれぞれ形成され、
発光前の色彩が該花弁２０の色彩と同色である蓄光体が該表示部にそれぞれ設けられる
とともに、前記の各表示部に設けられた蓄光体は残光輝度において高低差のあるものであ
ることを特徴とする蓄光体を利用した造花。
【請求項４】
該花弁２０に設けられたそれぞれの蓄光体の蓄光材粒子の粒径が大小に異なるものである
ことを特徴とする請求項３記載の蓄光体を利用した造花。
【請求項５】
該花弁２０に設けられたそれぞれの蓄光体の蓄光材の厚みが異なるものであることを特徴
とする請求項３記載の蓄光体を利用した造花。
【考案の詳細な説明】
【技術分野】
【０００１】
この考案は、蓄光体を利用した造花に関するものである。
【背景技術】
【０００２】
この種の蓄光体を利用した造花としてたとえば、特開２００６−３７３０５号公報（特
許文献１）に記載された発明が知られている。
この発明は、造花の花弁の一面に蓄光材からなる第一層が、第一層の蓄光材層上に第二
層として酸化チタン（光触媒）が積層されることにより、蓄光材層より暗所において発光
による装飾性を発揮し、他方、太陽光などの紫外線を利用することにより、造花の汚れな
どを酸化チタンにより浄化し、造花の活性化を図るようにしたものである。
【０００３】
背景技術は、蓄光材により暗所において発光による装飾性を発揮する造花を提供する点
などで評価できるものの、造花の材質はポリエステル、ビニール、ナイロン、紙、糸、布
などであり、形態は扁平なものが示唆されている。
ところで、造花の花弁や葉、茎などの色彩は装飾性を意図するから、特定の色彩のもの
に制約されることにより、装飾性に制約を受け、趣味感が減じられることはいうまでもな
い。
【０００４】
一般的に蓄光材は、発光前の色彩と発光後の色彩が異なることが知られている
。
たとえば、ある種の蓄光材では、発光前の色彩が白色を呈し、暗所での発光色は、「緑
色」または「青色」、「橙色」であることが知られている。
したがって、造花の装飾性を図るのに、とりわけ、昼間など蓄光材の発光前の色彩と造
花の花弁色の整合性が配慮されない場合、花弁色と蓄光材の発光前の色彩が不調和となる
結果、造花に違和感を生じ、装飾性に欠けるが、この点について背景技術は課題が解決さ
れていない。
【０００５】
また、背景技術では、蓄光材の残光輝度について言及されていないことから、一定の残
光輝度による蓄光材を採用することが予定されていると解釈される。
したがって、造花の花弁には統一された残光輝度を備える蓄光体を採用することが予定
されていると理解されるから、その花弁などはあくまで静止状態による装飾に止まり、蓄
光体を採用することにより、花弁などを動的に表示するなどという考案の着想は一切なか
った。
【０００６】
さらに、蓄光体による花弁は静的であるから、看者に対する注意力の喚起に欠けるきら
いがあった。
【特許文献１】特開平１０ー２７３６５７号公報
【考案の開示】
【考案が解決しようとする課題】
【０００７】
この考案の目的は、前記した背景技術の問題点を解決しようとするものであり、
蓄光材の色彩が、発光前の色彩と発光後の色彩が異なる点に着目し、昼間など蓄光材の発
光前の色彩と造花の花弁色の整合性を図ることにより、違和感を生じなく、装飾性に富ん
だ蓄光体を利用した造花を提供することにある。
【０００８】
この考案の他の目的は、残光輝度において高低差のある蓄光体を造花の花弁に設けるこ
とにより、残光輝度の高低差をタイムラグとして活用し、花弁を疑似の動画として表現す
ることにある。
【０００９】
この考案のさらに他の目的は、花弁の発光を経時変化により視認させ、従来、経験でき
なかったある種の興趣に優れた趣味感のある造花を提供することにある。
花弁を疑似動的に表現することにより、看者の注意を喚起することも目的とする。  
【００１０】
この考案のさらに他の目的は、残光輝度において高低差のある蓄光体を採用することに
より、複数の花弁の発光の消滅タイムラグをたとえば、３０分に設定することにより、３
０分の時間経過を認識できる簡易時計代わりを提供することにある。
【課題を解決するための手段】
【００１１】
この考案は上記の目的を達成するため、蓄光体を利用した造花の第１の課題解決手段に
係る考案は、軟質プラスチックスシートからなる花弁１０群を備えた造花Ｆにおいて、文
字、図形、記号などによる表示部が花弁に形成され、
発光前の色彩が該花弁の色彩と同色である蓄光体が該表示部に設けられれなることを特
徴とするものである。
【００１２】
この考案は上記の目的を達成するため、蓄光体を利用した造花の第２の課題解決手段に
係る考案は、第１の課題解決手段において、多数の該花弁群が設けられ、これらの該花弁
群のうち、９弁の花弁の該表示部の図形が馬であることを特徴とするものである。
【００１３】
この考案は上記の目的を達成するため、蓄光体を利用した造花の第３の課題解決手段に
係る考案は、軟質プラスチックスシートからなる花弁群を備えた造花において、該花弁の
数が少なくとも２弁からなり、文字、図形、記号などによる表示部が各花弁にそれぞれ形
成され、発光前の色彩が該花弁の色彩と同色である蓄光体が該表示部にそれぞれ設けられ
るとともに、前記の各表示部に設けられた蓄光体は残光輝度において高低差のあるもので
あることを特徴とするものである。
【００１４】
この考案は上記の目的を達成するため、蓄光体を利用した造花の第４の課題解決手段に
係る考案は、第３の課題解決手段において、該花弁に設けられたそれぞれの蓄光体の蓄光
材粒子の粒径が大小に異なるものであることを特徴とするものである。
【００１５】
この考案は上記の目的を達成するため、蓄光体を利用した造花の第５の課題解決手段に
係る考案は、第３の課題解決手段において、
該花弁に設けられたそれぞれの蓄光体の蓄光材の厚みが異なるものであることを特徴と
するものである。
【考案の効果】
【００１６】
蓄光体を利用した造化の第１の課題解決手段に係る考案は、上記の構成であるから、以
下の作用効果を奏する。
花弁は軟質プラスチックスシートからなる造花によるものであるから、花弁は形態変化
をしない。
したがって、表示部に設けられた蓄光体が花弁から剥がれないので、蓄光体の機能の長
期化を期待できる。
発光前の色彩が該花弁の色彩と同色である蓄光体が該表示部に設けられてなるから、昼
間などにおいて、蓄光体と花弁が同色に整合されているから、看者にとって違和感のない
装飾性に富んだ造花を得ることができる。
【００１７】
蓄光体を利用した造花の第２の課題解決手段に係る考案は、上記の構成であるから、第
１の課題解決手段に係る考案が奏する作用効果のほか、以下の作用効果を奏する。
９弁の花弁の該表示部の図形が馬であるから、これらの九頭の馬が看者に対して物ごと
が「うまくいく」という縁起を与え、ある種の趣味感のある造花を得ることができる。
【００１８】
蓄光体を利用した造花の第３の課題解決手段に係る考案は、上記の構成であるから、第
１の課題解決手段に係る考案と共通の作用効果を奏するほか、以下の作用効果を奏する。
少なくとも２弁からなる表示部には、残光輝度の高低差のある蓄光体が設けられている
から、表示部の蓄光体に蓄積された光エネルギーには、残光輝度の高低差がいうまでもな
く発生する。
したがって、少なくとも２弁からなる一方の表示部の蓄光体は他方の表示部の蓄光体に
比較して早期に発光が断たれ、他方の表示部の蓄光体は依然として発光するものの、時間
の経過とともに、他方の表示部の蓄光体も一方の表示部の蓄光体に続いて発光が断たれる
。
【００１９】
かくして、前記した両者の表示部の発光時間には、長短が発生するから、人の網膜には
、先に発光が断たれた表示部が残像される一方、後に発光が断たれる他方の表示部は依然
として視認される。
したがって、人の視覚では、２弁の表示部の経時変化、つまり、２区分の表示部の発光
が順序よく断たれることより、あたかもその表示部を疑似動画的に視認できる。
【００２０】
とりわけ、表示部の区分数を増加させ、残光輝度の高低差を少なくした蓄光体を順序よ
く設けることにより、一層、表示部を疑似動画的に視認できる。
【００２１】
さらに、残光輝度において高低差のある蓄光体を採用したから、発光の消滅タイムラグ
をたとえば、３０分に設定することにより、３０分の時間経過を認識できる簡易時計代わ
りを提供できる。
【００２２】
その上、少なくとも２弁に設けられたそれぞれの表示部の発光が経時変化するから、従
来、経験できなったある種の趣味感に富んだ斬新な蓄光体を利用した造花を得ることがで
きる。
また、疑似動画として観察できるから、看者の注意力を喚起できる。
【００２３】
蓄光体を利用した造花の第４の課題解決手段に係る発明は上記の構成であるから、第１
の課題解決手段に係る発明が奏する作用効果のほか、以下の作用効果を奏する。
残光輝度の高低を設定するのに、高度のものについては、粒径の大きいもの、低度のも
のについては、粒径の小さいもの採用すればよく、大小の粒径の蓄光体は、市場の市販品
を利用できるから、格別、本発明に対応する蓄光体を生産する手間を省略できるので、生
産性の向上化と生産コストの低減化に寄与できる。
【００２４】
蓄光体を利用した造花の第５の課題解決手段に係る発明は上記の構成であるから、第３
の課題解決手段が奏する作用効果のほか、以下の作用効果を奏する。
残光輝度の高低を設定するのに、該表示部に厚みの異なる蓄光体がそれぞれ設けられて
いるから、厚みを高くすることにより、奥深くまで蓄光させることができ、一方、厚みを
薄くすることにより、短く蓄光させることができる。
したがって、表示部の残光輝度の調整は、厚みの異なる蓄光体を採用することにより、
実施できるから生産し易い。
【考案を実施するための最良の形態】
【００２５】
蓄光材の発光前の色彩と造化の花弁色の整合性を図ることにより、違和感を生じなく、
装飾性に富んだ蓄光体を利用した造花を得るようにするなどの目的を、最小の部品点数に
より、蓄光機能を損なうことなく実現した。
【実施例１】
【００２６】
この考案の実施例１を図面を参照して以下に説明する。
図１は、軟質プラスチックスシートからなる花弁１０群を備えた造花Ｆである
。
花弁１０群のそれぞれには文字、図形、記号などによる表示部が形成されている。
この例の表示部は九頭の馬の図形により表されているが、もとより馬の図形に制限され
ない。
九頭の馬の図形を表すことにより、考案者は物ごとが「うまくゆく」という縁起を看者
に与え、ある種の趣味感に富んだ造花Ｆを得ることを意図しているものである。    
【００２７】
前記した馬の図形による該表示部には、発光前の色彩が該花弁１０の色彩と同色である
蓄光体１２が設けられている。
この明細書において、「発光前の色彩が該花弁１０の色彩と同色である蓄光体１２」と
は、両者がそっくりおなじいろの場合は、もちろん、造花の観察者にとって特別、違和感
のない限り、色彩の相違は両者が同色であることを意味する。
【００２８】
一般的に蓄光材は、発光前の色彩と発光後の色彩が必ずしも同色ではなく、異なること
が知られている。
たとえば、現在市販されている蓄光材についていえば、次のとおりである。
発光前の色彩          発光後の色彩
１、  薄緑                  青
２、  浅黄                  緑
３、  薄緑                  青
４、  浅黄                  緑
５、  青                    青
６、  緑                    緑
７、  赤                    赤
８、  黄                    黄
９、  白                    橙
１０、白                    緑
１１、白                    青
【００２９】
したがって、たとえば、白色の花弁１０の表示部に設けられた発光前の蓄光体１２の色
彩が特別の理由がない限り、花弁１０の表示部の色彩と異なり、非白色である場合、昼間
など明所で観察されるときに、違和感を奏することは否定できない。
造花Ｆの装飾性を図るのに、とりわけ、昼間など蓄光材１２の発光前の色彩と造花の花
弁色の整合性が配慮されない場合、花弁色と蓄光材１２の発光前の色彩が不調和となる結
果、造花に違和感を生じ、装飾性に欠けることになるから、この考案では、前記の課題解
決のため、蓄光材１２の発光前の色彩と造花の花弁色の整合性が配慮されている。
【００３０】
一方、暗所では、表示部の蓄光体１２は発光され、その発光後の色彩が花弁１０の色彩
と相違していても、花弁１０の色彩は暗所に埋没するから、格別の違和感を生じない。
【００３１】
この考案の花弁１０は軟質プラスチックスシートから構成されているが、たとえば、表
示部に薄いシート状の蓄光体１２を貼付する場合などの場合、花弁１０が軟質プラスチッ
クスシートであるから、薄いシート状の蓄光体１２を花弁１０に貼付し易いことのほか、
花弁１０の材質が自然の花弁と異なり、形態変化をしない。
したがって、表示部に設けられた蓄光体が花弁から剥がれないから、蓄光体の機能の長
期化を期待できる。
【実施例２】
【００３２】
この実施例は、造花Ｆの花弁の表示部に設けられた蓄光体の残光輝度が高低差のあるも
のであることを基本的構成とするものである。
以下に詳細を図２、図３を参照して説明する。
実施例１と同様に軟質プラスチックスシートからなる花弁２０群を備えた造花Ｆに関す
るものである。
この例では、多数の花弁２０が設けられているが、この考案の目的を達成するには、理
論上少なくとも２弁が必須である。
【００３３】
この例では、図面上、追って説明する蓄光体に隠れているが、文字、図形、記号などに
よる表示部が各花弁２０にそれぞれ形成されている。
この例では、８個に区分された表示部が設けられ、８個の表示部には、文字「誕」、「
生」、「日」、「お」、「め」、「で」、「と」、「う」の残光輝度を徐々に低い順序に
より、蓄光体２２ー１、２２ー２、２２ー３、２２ー４、２２ー５、２２ー６、２２ー７
、２２ー８が段階的に設けられている。  
【００３４】
蓄光体の形態を薄いシート状のものに制限しないが、シート状のものである場合、花弁
２０が軟質プラスチックスシートであるから、貼付し易い利点がある。
【００３５】
発光前の色彩が該花弁２０の色彩と同色である蓄光体が該表示部にそれぞれ設けられて
いることは、前記した実施例と同じである。
【００３６】
実施例では、表示部を漢字およびひらがな文字「誕生日おめでとう」により表されてい
るが、もとより、漢字、カタカナ、欧文字など言語を問わないし、図形や記号など何ら制
約されないし、これらの組み合わせも予定されている。
【００３７】
もっとも、前記した表示部は、組み合わせられた全体の該表示部により一定の思想が表
現されていることが好ましいといえる。
つまり、少なくとも２区分に形成された表示部がまとまったある一つの考えを表現して
いることを意味することが望ましく、社会通念上無意味な表示ではこの発明の目的を達成
できないだろう。
【００３８】
もとより、表示部がオリジナル性に富んでも、その表示が客観的にまとまったある一つ
の考えを表現している限り、この明細書では、一定の思想が表現されている範疇に属する
ものである。
【００３９】
前記した表示部には、残光輝度の高低差のある蓄光体が段階的に設けられているが、残
光輝度の高低差のある蓄光体を採用するについて、発明者は市販の蓄光材を利用した。
蓄光材の組成については、広く知られていることであるから、省略するものの、因みに
、商品名「ルミノーバ粉体・緑色発光・Ｇ−３００Ｍなど」（根本特殊化学株式会社製）
を採用した。
【００４０】
他方、蓄光材単独では、知られるように花弁２０上に結合するに困難であるから、市販
のバインダとして知られているエポキシ系透明接着剤を採用した。
この種の透明接着剤を挙げるなら、メタエクリル系樹脂（商品名「スミペックス」住友
化学（株））などが知られている。    
透明接着剤を採用することにより、発光前の蓄光材が有する固有の色彩を損なわないよ
うに配慮した。
また、残光輝度の高低差を設定するのに、蓄光材とバインダの混合比率の多寡を調整す
ることにより実施したが、残光輝度の高低差の設定は、もとより、前記の両者の混合比率
の調整のみに制約されない。
【００４１】
残光輝度において８段階の高低差を備えた蓄光体２２ー１、２２ー２、２２ー３、２２
ー４、２２ー５、２２ー６、２２ー７、２２ー８を準備し、高いものから順次低いものを
区分けして花弁２０に設けた。
【００４２】
このようにして得た造化Ｆの機能について図２、図３を参照して説明すると、昼間では
、造花Ｆは紫外線を吸収して蓄光体はエネルギの高い状態（励起）となる。  
そして、暗くなると、蓄えられた８区分の表示部の各蓄光体２２ー１、２２ー２、２２
ー３、２２ー４、２２ー５、２２ー６、２２ー７、２２ー８光として共通に発光する。
【００４３】
しかし、蓄光体の残存輝度には、高低差があるから、８個の表示部に蓄光体により表さ
れた「誕」、「生」、「日」、「お」、「め」、「で」、「と」、「う」の文字は、文字
「う」から文字「誕」にかけて順次、発光が消滅する。  
【００４４】
このように、８区分に形成された表示部の蓄光体２２ー１、２２ー２、２２ー３、２２
ー４、２２ー５、２２ー６、２２ー７、２２ー８が光として一定時間の経過とともに順序
よく消滅するから、８区分の表示部の蓄光体の文字「誕」、「生」、「日」、「お」、「
め」、「で」、「と」、「う」が疑似的に動画として人の視覚に残映され、従来経験しな
かった蓄光体を利用した斬新な造花Ｆを得ることができた。
【００４５】
なお、表示部の蓄光体による文字の順序を「誕」、「生」、「日」、「お」、「め」、
「で」、「と」、「う」としたが、この順序を一般的ではないが、逆の表示を採用しても
よい。
逆の表示を採用することは、単なる趣味感の相違といえる。
【実施例３】
【００４６】
たとえば、図３に示されるように、残存輝度が共通するものの、蓄光層２２ー１、２２
ー２、２２ー３、２２ー４、２２ー５、２２ー６、２２ー７、２２ー８
の高さに高低差を設定することにより、残光輝度の高低差を設けることのできることも発
明者は確認した。
市販され、公知の蓄光材には、使用目的に応じて残光輝度の高いもの、低いもの、両者
の中間のものが存在するから、これらを選択することも発明者は予定している。
なお、図面上、表示部は蓄光体の下方に隠れている。
【図面の簡単な説明】
【００４７】
【図１】蓄光体を利用した造花の実施例を示した斜視図である（実施例１）
【図２】蓄光体を利用した造花の実施例を示した斜視図である（実施例２）
【図３】蓄光体を利用した造花の実施例を示した説明図である（実施例２）
【符号の説明】
【００４８】
１０  造花の花弁
１２  蓄光体
２０  造花の花弁
２２−１  蓄光体
２２−２  蓄光体
２２−３  蓄光体
２２−４  蓄光体
２２−５  蓄光体
２２−６  蓄光体
２２−７  蓄光体
２２−８  蓄光体
Ｆ        造花
【図１】
0003129613.tif 000003
【図２】
0003129613.tif 000004
【図３】
0003129613.tif 000005